(57)【要約】  【解決手段】  ヘッド本体、フェース板および環状クッションにより構成される。ヘッド本体の正面には開口部が設けられ、開口部の内周縁には肩部と環状溝が形成される。フェース板は開口部の内部に嵌設することができる。環状クッションはヤング率が低い材料により製成され、開口部の環状溝の内部に嵌設することができる。ヘッド本体、フェース板および環状クッションが一体になるように結合された後、環状クッションはフェース板を支持することができるため、フェース板とヘッド本体との接触面積を減らすことができるように構成されている。  【効果】  打球時において環状クッションにより打球の応力がヘッド本体に吸収してしまう比率を相対的に減らすことにより、フェース板の高弾性による変形能力を確保することができるため、打球の性能を高めることができる。【選択図】    図１
2005103161.tif 000002
【特許請求の範囲】
【請求項１】
ヘッド本体（１０）、環状クッション（３０）およびフェース板（２０）により構成されるゴルフクラブヘッドのフェース板の結合構造であって、ヘッド本体（１０）の正面には開口部（１１）が設けられ、開口部（１１）の内周縁には肩部（１２）が形成され、環状クッション（３０）は開口部（１１）の肩部（１２）の上方に設けられることができ、フェース板（２０）は開口部（１１）の内部に嵌設され、ヘッド本体（１０）、フェース板（２０）および環状クッション（３０）が一体になるように結合された後、環状クッション（３０）はフェース板（２０）の背面を支持することができ、フェース板（２０）とヘッド本体（１０）との接触面積を減らすことができることにより、打球時において環状クッション（３０）により打球の応力がヘッド本体（１０）に吸収してしまう比率は相対的に減少されるため、フェース板（２０）が高弾性による変形能力を確保することができることを特徴とするゴルフクラブヘッドのフェース板の結合構造。
【請求項２】
環状クッション（３０）はヤング率が３×１０７ｐｓｉより低い材料により製成されることを特徴とする請求項１記載のゴルフクラブヘッドのフェース板の結合構造。
【請求項３】
環状クッション（３０）の材料はチタン、黄銅、青銅、アルミ、マグネシウム、木材から選ぶことができることを特徴とする請求項２記載のゴルフクラブヘッドのフェース板の結合構造。
【請求項４】
ヘッド本体（１０）の開口部（１１）の外周縁には他に充填材フランジ（１３）が形成され、さらにフェース板（２０）の正面のリップ縁には他に階段状部（２１）が形成され、充填材フランジ（１３）はプレス変形により充填材となって階段状部（２１）を係止することにより、フェース板（２０）をヘッド本体（１０）に結合させることができることを特徴とする請求項１記載のゴルフクラブヘッドのフェース板の結合構造。
【請求項５】
ヘッド本体（１０）の肩部（１２）が開口部（１１）の内周壁に近いところには他に環状溝（１２１）が形成され、環状溝（１２１）により環状クッション（３０）を係止して固定することができることを特徴とする請求項１記載のゴルフクラブヘッドのフェース板の結合構造。
【請求項６】
環状溝（１２１）は他に各隅の位置において複数個の凹欠部（１２２）が形成されることにより、環状クッション（３０）のプレス変形空間として利用することができ、さらにフェース板（２０）とヘッド本体（１０）の肩部（１２）との接触面積を減らすことができることを特徴とする請求項５記載のゴルフクラブヘッドのフェース板の結合構造。
【請求項７】
フェース板（２０）は環状クッション（３０）の支持を受けることにより、ヘッド本体（１０）の肩部（１２）とフェース板（２０）の間には隙間（１４）が形成されることを特徴とする請求項１記載のゴルフクラブヘッドのフェース板の結合構造。
【請求項８】
隙間（１４）には充填層（４０）を充填することができることを特徴とする請求項７記載のゴルフクラブヘッドのフェース板の結合構造。
【請求項９】
充填層（４０）は光硬化樹脂により固化してなるものであることを特徴とする請求項８記載のゴルフクラブヘッドのフェース板の結合構造。
【請求項１０】
上記光硬化樹脂は可視光硬化樹脂、ＵＶ光硬化樹脂から選ぶことができることを特徴とする請求項９記載のゴルフクラブヘッドのフェース板の結合構造。
【請求項１１】
環状クッション（３０）の上端には他に環状フランジ（３１）と支持部（３２）が形成され、フェース板（２０）と環状クッション（３０）がヘッド本体（１０）に結合された時、フェース板（２０）は環状クッション（３０）の環状フランジ（３１）の内側に嵌設することができ、そして環状クッション（３０）の上部の支持部（３２）により支持するように形成されることを特徴とする請求項１記載のゴルフクラブヘッドのフェース板の結合構造。
【請求項１２】
フェース板（２０）はヤング率が３×１０７ｐｓｉより低い材料により製成されることを特徴とする請求項１記載のゴルフクラブヘッドのフェース板の結合構造。
【請求項１３】
フェース板（２０）の材料はチタン合金、ステンレス、特殊鋼から選ぶことができることを特徴とする請求項１２記載のゴルフクラブヘッドのフェース板の結合構造。
【請求項１４】
ヘッド本体（１０）はヤング率が３×１０７ｐｓｉより高い材料により製成されることを特徴とする請求項１記載のゴルフクラブヘッドのフェース板の結合構造。
【請求項１５】
ヘッド本体（１０）の材料はステンレス、炭素鋼、合金鋼、フェロ−マンガン−アルミ合金から選ぶことができることを特徴とする請求項１４記載のゴルフクラブヘッドのフェース板の結合構造。
【発明の詳細な説明】
【技術分野】
【０００１】
本発明は、ゴルフクラブヘッドのフェース板の結合構造に関するもので、特に環状クッションを利用してフェース板の高弾性による変形能力を確保することができるゴルフクラブヘッドのフェース板の結合構造に係るものである。
【背景技術】
【０００２】
従来のゴルフクラブヘッドのフェース板の結合構造としては、図８、９に示すように、ヘッド本体１０とフェース板２０が含まれる。ヘッド本体１０の正面には開口部１１が形成され、開口部１１の内周縁には肩部１２が形成され、さらに開口部１１の外周縁には充填材フランジ１３が設けられる。フェース板２０の正面の周縁には階段状部２１が形成される。結合する時、先ずフェース板２０を開口部１１に嵌入させ、それから圧着部材（図示せず）により充填材フランジ１３をプレスすることにより、充填材フランジ１３を塑性変形させて階段状部２１を係止し、このようにヘッド本体１０とフェース板２０との組立による結合を完成することができる。
【０００３】
従来のゴルフクラブヘッドのフェース板の結合構造を利用して製造しようとする時、コスト、打球の性能と全体構造の強度などを考慮すると、ヘッド本体１０は通常としてステンレス、炭素鋼または合金鋼などの材料により製成され、そしてフェース板２０はチタン合金またはステンレスなどの材料により製成される。ヘッド本体１０の材質に相対して、フェース板２０の材質は比較的低いヤング率（Young's modulus）、すなわち、比較的高い反発係数（ＣＯＲ）を有している」を有しており、打球時において弾性による変形に形成されることができることにより、ゴルフボール（図示せず）がフェース板２０とぶつかった時に生じた球体の圧縮変形を減らすことができるため、打球の応力が抵抗により吸収されてしまう具合を相対的に減らし、打球の応力のエネルギーの損失を避け、さらに打球の飛距離を伸ばすことができるようにとしたものがある。
【０００４】
また、従来のゴルフクラブヘッドのフェース板の結合構造としては、フェース板をヘッド本体の開口部に嵌入する前、先ずヘッド本体の開口部の上方に溶接材料を放置し、溶接材料はヘッド本体とフェース板とは異なる材質の金属粉末により製成され、その融点の温度はヘッド本体とフェース板の金属の融点より低く、そして真空中または惰性気体の保護の下で高温炉において加熱を行うことにより、フェース板をヘッド本体に溶接して固定させるようにとしたものがある（例えば、特許文献１を参照）。
【特許文献１】中華民国專利公報公告第４６９１４３号
【発明の開示】
【発明が解決しようとする課題】
【０００５】
上記のような従来のゴルフクラブヘッドのフェース板の結合構造においては、全体構造の強度を考慮した上で、ヘッド本体１０がヤング率の高い材料（例えばヤング率が３×１０７ｐｓｉのステンレスまたは炭素鋼）を使用した時、ヘッド本体１０はその材料の低弾性の変形能力と高い抵抗係数により打球の応力を吸収し易くなるため、フェース板の弾性による変形能力と打球の性能に大きな影響を与えてしまうと同時に、ヘッド本体１０により吸収された一部分の打球の応力にも振動が生じ、そしてクラブとグリップまで伝導されるため、使用者の握り心地に影響を与えてしまい、さらにゴルフクラブの各結合部の構造に影響を与えてしまう問題点があった。
【０００６】
また、上記のような従来のゴルフクラブヘッドのフェース板の結合構造においては、溶接材料とヘッド本体およびフェース板との異種類の材質による溶接の互換性が不足するという問題点があり、さらに真空中または惰性気体の保護の下で高温炉において加熱を行うことにより、金属の表面酸化による変色が生じてしまうという問題点があった。このように、上記のような従来のゴルフクラブヘッドの構造をさらに改良しなければならない。
【０００７】
本発明はこのような問題点に鑑みて発明したものであって、その目的とするところは、ヘッド本体とフェース板との結合位置の間に環状クッションを設置し、上記環状クッションはヤング率の低い材料により製成される。これにより、打球時において環状クッションによりフェース板の打球応力がヘッド本体に吸収してしまう比率は相対的に減少されることにより、フェース板が高弾性による変形能力を確保することができるため、ゴルフクラブの打球の性能を高めることができると共に、握り心地もよくなるゴルフクラブヘッドのフェース板の結合構造を提供しようとするものである。
【０００８】
本発明の第一の目的は、ヘッド本体とフェース板との結合位置の間に環状クッションを設置することにより、環状クッションによりフェース板の打球応力がヘッド本体に吸収してしまう比率は相対的に減少されることにより、フェース板が高弾性による変形能力を確保することができるため、ゴルフクラブの打球の性能を高めることができるゴルフクラブヘッドのフェース板の結合構造を提供しようとするものである。
【０００９】
本発明の第二の目的は、ヘッド本体とフェース板との結合位置の間に環状クッションを設置することにより、環状クッションによりフェース板の打球応力がヘッド本体に吸収されてしまう比率は相対的に減少され、さらに振動がグリップまで伝導する比率も減少されることにより、ゴルフクラブの握り心地もよくなるゴルフクラブヘッドのフェース板の結合構造を提供しようとするものである。
【課題を解決するための手段】
【００１０】
上記目的を達成するために、本発明によるゴルフクラブヘッドのフェース板の結合構造は、下記のようになるものである。すなわち、
ヘッド本体、環状クッションおよびフェース板により構成される。ヘッド本体の正面には開口部が設けられ、開口部の内周縁には肩部が形成される。環状クッションは開口部の肩部の上方に設けられることができる。フェース板は開口部の内部に嵌設される。ヘッド本体、フェース板および環状クッションが一体になるように結合された後、環状クッションはフェース板の背面を支持することができ、フェース板とヘッド本体との接触面積を減らすことができることにより、打球時において環状クッションにより打球の応力がヘッド本体に吸収してしまう比率は相対的に減少されるため、フェース板が高弾性による変形能力を確保することができる。
【００１１】
本発明によるゴルフクラブヘッドのフェース板の結合構造は、環状クッションはヤング率が３×１０７ｐｓｉより低い材料により製成されることもできる。また、環状クッションの材料はチタン、黄銅、青銅、アルミ、マグネシウム、木材から選ぶこともできる。また、ヘッド本体の開口部の外周縁には他に充填材フランジが形成され、さらにフェース板の正面のリップ縁には他に階段状部が形成され、充填材フランジはプレス変形により充填材となって階段状部を係止することにより、フェース板をヘッド本体に結合させることもできる。また、ヘッド本体の肩部が開口部の内周壁に近いところには他に環状溝が形成され、環状溝により環状クッションを係止して固定することもできる。また、環状溝は他に各隅の位置において複数個の凹欠部が形成されることにより、環状クッションのプレス変形空間として利用することができ、さらにフェース板とヘッド本体の肩部との接触面積を減らすこともできる。また、フェース板は環状クッションの支持を受けることにより、ヘッド本体の肩部とフェース板の間には隙間が形成されることもできる。また、隙間には充填層を充填することもできる。また、充填層は光硬化樹脂により固化してなることもできる。また、上記光硬化樹脂は可視光硬化樹脂、ＵＶ光硬化樹脂から選ぶこともできる。
【００１２】
さらに、本発明によるゴルフクラブヘッドのフェース板の結合構造は、環状クッションの上端には他に環状フランジと支持部が形成され、フェース板と環状クッションがヘッド本体に結合された時、フェース板は環状クッションの環状フランジの内側に嵌設することができ、そして環状クッションの上部の支持部により支持するように形成されることもできる。また、フェース板はヤング率が３×１０７ｐｓｉより低い材料により製成されることもできる。また、フェース板の材料はチタン合金、ステンレス、特殊鋼から選ぶこともできる。また、ヘッド本体はヤング率が３×１０７ｐｓｉより高い材料により製成されることもできる。また、ヘッド本体の材料はステンレス、炭素鋼、合金鋼、フェロ−マンガン−アルミ合金から選ぶこともできる。
【発明の効果】
【００１３】
本発明のゴルフクラブヘッドのフェース板の結合構造によれば、ヘッド本体とフェース板との結合位置の間に環状クッションを設置することにより、環状クッションによりフェース板の打球応力がヘッド本体に吸収してしまう比率は相対的に減少されることにより、フェース板が高弾性による変形能力を確保することができるため、ゴルフクラブの打球の性能を高めることができるという利点がある。
【００１４】
本発明のゴルフクラブヘッドのフェース板の結合構造によれば、ヘッド本体とフェース板との結合位置の間に環状クッションを設置することにより、環状クッションによりフェース板の打球応力がヘッド本体に吸収してしまう比率は相対的に減少され、さらに振動がグリップまで伝導する比率も減少されることにより、ゴルフクラブの握り心地もよくなるという利点がある。
【発明を実施するための最良の形態】
【００１５】
本発明の実施の形態について、以下、図面を参照して説明する。
【００１６】
図１は本発明の実施例１のゴルフクラブヘッドのフェース板の結合構造による分解斜視図で、図２は本発明の実施例１のゴルフクラブヘッドのフェース板の結合構造による初期の結合時の断面図で、図３は本発明の実施例１のゴルフクラブヘッドのフェース板の結合構造による組み立てられた状態の断面図で、図４は図３の局部の拡大断面図で、図５は本発明の実施例２のゴルフクラブヘッドのフェース板の結合構造による局部の拡大断面図で、図６は本発明の実施例３のゴルフクラブヘッドのフェース板の結合構造による分解斜視図で、図７は本発明の実施例３のゴルフクラブヘッドのフェース板の結合構造による組み立てられた状態の断面図である。
【００１７】
本発明のゴルフクラブヘッドのフェース板の結合構造の一部分の製造工程と構造は図８、９に示す従来のゴルフクラブヘッドのフェース板の結合構造とは同じであるため、両者の同じ部分の構造および功能については再び詳細に説明しない。
【実施例１】
【００１８】
図１を参照すると、本発明の実施例１のゴルフクラブヘッドのフェース板の結合構造にはヘッド本体１０、フェース板２０および環状クッション３０が含まれる。ヘッド本体１０はヤング率（Young's modulus）が３×１０７ｐｓｉより大きいステンレス、炭素鋼、合金鋼またはフェロ−マンガン−アルミ合金からなどの材料により製成される。ヘッド本体１０の正面には開口部１１が設けられ、開口部１１の内周縁には肩部１２が形成され、さらに開口部１１の外周縁には充填材フランジ１３が設けられる。フェース板２０はチタン合金（例えば６Ａｌ−４Ｖ Ｔｉの合金）、ステンレス（例えばＳＵＳ１７４、３５０、４５５）または特殊鋼（例えば４１３０炭素鋼）などの材料により製成される。ヘッド本体１０の材質に相対して、フェース板２０の材質は比較的低いヤング率（３×１０７ｐｓｉより低い）を有し、さらに比較的高い弾性の係数（coefficient of restitution, COR）を有するため、弾性による変形能力は比較的高くなる。フェース板２０はヘッド本体１０の開口部１１の内部に嵌設されることができ、そしてフェース板２０の正面の周縁には階段状部２１が形成される。環状クッション３０は好ましくはヤング率が３×１０７ｐｓｉより低い材料により製成され、例えばチタン（ヤング率が１．７２×１０７ｐｓｉ）、黄銅／青銅（ヤング率が１．７０×１０７ｐｓｉ）、アルミ（ヤング率が１．０×１０７ｐｓｉ）、マグネシウム（ヤング率が６．０×１０６ｐｓｉ）または木材（ヤング率が１．０×１０６ｐｓｉ）である。環状クッション３０はヘッド本体１０の肩部１２に設けられることができる。また、肩部１２は好ましくは開口部１１の内周壁に近いところにおいて他に環状溝１２１が形成され、環状溝１２１により環状クッション３０を係止して固定することができる。
【００１９】
図２、３、４を参照すると、本発明の実施例１のゴルフクラブヘッドのフェース板の結合構造が掲示される。結合する時、先ず環状クッション３０を環状溝１２１の内部に嵌設させ、さらに環状クッション３０は好ましくは環状溝１２１から少し突き出るように形成される。それから、フェース板２０を開口部１１に嵌入させることにより、フェース板２０は環状クッション３０により支持することができる。それから、圧着部材（図示せず）を利用して充填材フランジ１３をプレスすることにより、充填材フランジ１３を塑性変形により充填材フランジ１３’として形成させる。充填材フランジ１３’により階段状部２１を係止することができると同時に、環状クッション３０もプレスにより変形してしまうため、ヘッド本体１０、フェース板２０および環状クッション３０による組立の結合を完成することができる。結合した後、ヤング率が低いフェース板２０の背面の一部分はヤング率の低い環状クッション３０により支持されるため、フェース板２０とヤング率の高いヘッド本体１０の肩部１２との接触面積を相対的に減らすことができる。これにより、打球時において環状クッション３０によりフェース板２０打球の応力がヘッド本体１０に吸収してしまう比率を相対的に減らすことにより、フェース板２０が高弾性による変形能力を確保することができるため、ゴルフボールの球体が圧縮変形に形成される具合を相対的に低くすることができる。このように、球体の圧縮から生じた打球の応力の損失をできるだけ減らすことができるため、ゴルフクラブの打球の性能（打球飛距離）を有効に高めることができる。さらに、ヘッド本体１０の打球の応力を吸収する比率が相対的に減らされるため、ヘッド本体１０には僅か少量な振動が生じるだけであるため、ゴルフクラブのグリップ（図示せず）の握り心地も相対的によくなる。
【００２０】
再び図４を参照すると、環状溝１２１には例えば各隅の位置において複数個の凹欠部１２２が形成される。フェース板２０がヘッド本体１０に嵌合された時、環状クッション３０には弾性による変形が生じられ、そして凹欠部１２２の内部まで延伸するように形成される。環状クッション３０の弾性による変形の体積は凹欠部１２２の体積とは同じであるため、フェース板２０の高弾性による変形能力を確保することができると共に、打球時に生じた振動を有効に吸収することができ、さらにゴルフクラブの打球の性能を有効に高めることができる。
【００２１】
その他に、本発明の実施例１においてはプレス結合の方式を使用する以外に、例えば溶接または係合などの方式を利用して組立を行うことができる。例えば溶接の方式を使用した時、上記溶接はタングステンイナートガスアーク熔接、ろう付け、レザービーム熔接、プラズマアーク熔接またはイオンビーム熔接から選ぶことができ、さらに充填材フランジ１３が充填材フランジ１３’にプレス変形した後、充填材フランジ１３’は溶接の溶接材として使用することができる。
【実施例２】
【００２２】
図５を参照すると、本発明の実施例２のゴルフクラブヘッドのフェース板の結合構造が掲示される。実施例１と比較して、実施例２においてフェース板２０と肩部１２の間にはさらに隙間１４が形成され、そして隙間１４には充填層４０が充填される。これにより、本発明においてフェース板２０とヘッド本体１０の肩部１２との接触面積をさらに減らすことができるため、フェース板２０の高弾性による変形能力を確保することができ、さらにゴルフクラブの打球の性能を有効に高めることができる。他に、充填層４０により隙間１４を充填した後、打球時においてフェース板２０が力を受けてヘッド本体１０にぶつかって異音が生じるのを避けることができるため、ゴルフクラブの品質検査の標準に合致することができる。また、充填層４０は光硬化樹脂を注入し、そして光源（図示せず）を利用して照射することによって固化してなるものである。これにより、隙間１４の開口部は打球の性能に影響を及ぼさない状態で規則的、平らと美観性を有するように形成されると共に、ヘッド本体１０とフェース板２０との結合による欠陥を減らすことができ、さらにヘッド本体の製品の外観の品質を高めることができる。
【００２３】
通常として、上記光硬化樹脂は好ましくは可視光または紫外線により照射されると固化して成形する感光タイプ（light-sensitive type）の粘着剤であり、すなわち可視光硬化樹脂またはＵＶ光硬化樹脂で、例えばDymax社のDymax Ultra FastTM（商標名）の光硬化樹脂である。上記光硬化樹脂が隙間１４に注入された後、本発明においては光源を利用して上記光硬化樹脂を照射することにより、光化学の反応を生じさせる。特に、可視光のブルー、紫光（波長が４００から５００nmに介在し、光照射強度が５００mw/cm2で)または紫外線（波長が３９０nmより小さく）を利用することにより、比較的大きい光エネルギーで光硬化樹脂を極めて短い予定時間内（１０から４０秒）で快速に固化して充填層４０として形成するものである。
【００２４】
また、上記光硬化樹脂が固化する前には比較的高い金属結合力、比較的低い粘着度（比較的高い流動性）と比較的よい毛細現象を有しているため、ヘッド本体１０、フェース板２０と環状クッション３０の間の極微小な隙間にスムースに滲み込み、そして隙間１４を充満することができ、さらにヘッド本体１０とフェース板２０の金属表面とは極めてよい結合に形成され、そして操作時において粘着過ぎるため、操作の利便性に影響を与えてしまうという問題点はない。また、上記光硬化樹脂には揮発性溶剤の成分を殆ど含んでいないため、固化して充填層４０として形成されても体積の縮小により穴の発生がないため、比較的よい充填の能力を有する。
【実施例３】
【００２５】
図６、７を参照すると、本発明の実施例３のゴルフクラブヘッドのフェース板の結合構造が掲示される。実施例１、２と比較して、実施例３においてさらに環状クッション３０から上方へ突き出るように環状フランジ３１が形成され、環状フランジ３１によりフェース板２０の外周縁を適当に被覆することができる。フェース板２０と環状クッション３０をヘッド本体１０に結合した時、フェース板２０を環状クッション３０の環状フランジ３１の内側に嵌設することができ、そして環状クッション３０の上部に形成された支持部３２により支持される。これにより、ヤング率の低いフェース板２０はヤング率の低い環状クッション３０と環状フランジ３１により支持されると同時に、肩部１２とフェース板２０の間にも隙間１４が形成されるため、フェース板２０とヤング率の高いヘッド本体１０との接触面積を大幅に減らすことができる。環状クッション３０により同様にフェース板２０打球の応力がヘッド本体１０に吸収してしまう比率を相対的に減らすことにより、フェース板２０が高弾性による変形能力を確保することができるため、ゴルフボールの球体が圧縮変形に形成される具合を相対的に低くすることができ、そして球体の圧縮から生じた打球の応力の損失を減らすことができるため、ゴルフクラブの打球の性能（打球飛距離）を有効に高めることができる。
【産業上の利用可能性】
【００２６】
上述の如く、従来のゴルフクラブヘッドのフェース板の結合構造によれば、打球の応力がフェース板からヘッド本体まで伝導し易いため、使用者の握り心地に影響を与えてしまい、さらにゴルフクラブの各結合部の構造に影響を与えてしまい、さらにエネルギーの損失が生じてしまうなどの問題点があったが、図１に示す本発明のゴルフクラブヘッドのフェース板の結合構造によれば、環状クッションを設置することでフェース板を支持することにより、打球時においてフェース板の打球応力がヘッド本体に吸収してしまう比率を相対的に減らすことができるため、さらにフェース板の高弾性による変形能力を確保することができるため、ゴルフクラブの打球の性能を高めることができると共に、握り心地もよくなる。
【００２７】
本発明は、その精神及び必須の特徴事項から逸脱することなく他のやり方で実施することができる。従って、本明細書に記載した好ましい実施例は例示的なものであり、限定的なものではない。
【図面の簡単な説明】
【００２８】
【図１】本発明の実施例１のゴルフクラブヘッドのフェース板の結合構造による分解斜視図である。
【図２】本発明の実施例１のゴルフクラブヘッドのフェース板の結合構造による初期の結合時の断面図である。
【図３】本発明の実施例１のゴルフクラブヘッドのフェース板の結合構造による組み立てられた状態の断面図である。
【図４】図３の局部の拡大断面図である。
【図５】本発明の実施例２のゴルフクラブヘッドのフェース板の結合構造による局部の拡大断面図である。
【図６】本発明の実施例３のゴルフクラブヘッドのフェース板の結合構造による分解斜視図である。
【図７】本発明の実施例３のゴルフクラブヘッドのフェース板の結合構造による組み立てられた状態の断面図である。
【図８】従来のゴルフクラブヘッドのフェース板の結合構造による分解斜視図である。
【図９】従来のゴルフクラブヘッドのフェース板の結合構造による組み立てられた状態の断面図である。
【符号の説明】
【００２９】
１０    ヘッド本体                      １１    開口部
１２    肩部                          １２１    環状溝
１２２    凹欠部                          １３    充填材フランジ
１３’    充填材                        １４    隙間
２０    フェース板                      ２１    階段状部
３０    環状クッション                  ３１    環状フランジ
３２    支持部                          ４０    充填層
【図１】
2005103161.tif 000003
【図２】
2005103161.tif 000004
【図３】
2005103161.tif 000005
【図４】
2005103161.tif 000006
【図５】
2005103161.tif 000007
【図６】
2005103161.tif 000008
【図７】
2005103161.tif 000009
【図８】
2005103161.tif 000010
【図９】
2005103161.tif 000011